(57)【要約】【課題】科学的根拠に基づいた効果的なウォーキングと、音楽とを同時に楽しむことができる歩数計等を提供することを目的とする。【解決手段】歩数を計測する歩数計測部１５０と、緩歩すべき緩歩区間、および速歩すべき速歩区間の、各割合または各時間を設定するための区間設定部１４０と、複数のミュージックコンテンツを記憶するコンテンツ記憶部１２０と、区間設定部１４０の設定に基づいて、当該各ミュージックコンテンツの再生順序を決定する再生順序決定部１７０と、歩数計測部１５０による計測中に、再生順序決定部１７０により決定された再生順序でミュージックコンテンツを再生する再生部１９０と、を備えたものである。【選択図】図２
2007328568.tif 000002
【特許請求の範囲】
【請求項１】
歩数を計測する歩数計測部と、
緩歩すべき緩歩区間、および速歩すべき速歩区間の、各割合または各時間を設定するための区間設定部と、
複数のミュージックコンテンツを記憶するコンテンツ記憶部と、
前記区間設定部の設定と、前記コンテンツ記憶部に記憶された各ミュージックコンテンツの属性情報と、に基づいて、当該各ミュージックコンテンツの再生順序を決定する再生順序決定部と、
前記歩数計測部による計測中に、前記再生順序決定部により決定された再生順序で前記ミュージックコンテンツを再生する再生部と、
を備えていることを特徴とする歩数計。
【請求項２】
前記属性情報は、前記各ミュージックコンテンツの拍の長短に関するテンポ情報であり、
前記再生順序決定部は、前記テンポ情報に基づく拍の長さと、前記緩歩区間または前記速歩区間の歩調との近似性に基づいて、前記各ミュージックコンテンツの再生順序を決定することを特徴とする請求項１に記載の歩数計。
【請求項３】
前記再生順序決定部は、前記区間設定部の設定と、前記各ミュージックコンテンツの前記属性情報と、に基づいて、前記コンテンツ記憶部の中から再生候補となる複数のミュージックコンテンツを抽出するコンテンツ抽出部を有し、
前記コンテンツ抽出部により抽出した当該複数のミュージックコンテンツの再生順序を決定することを特徴とする請求項１または２に記載の歩数計。
【請求項４】
前記再生順序決定部は、
前記コンテンツ抽出部により抽出された再生候補となる複数のミュージックコンテンツを表示するコンテンツ表示部と、
前記コンテンツ表示部により表示された複数のミュージックコンテンツの中から、再生対象となるミュージックコンテンツを選択するためのコンテンツ選択部と、をさらに有し、
前記コンテンツ選択部により選択されたミュージックコンテンツの再生順序を決定することを特徴とする請求項３に記載の歩数計。
【請求項５】
前記コンテンツ記憶部に、前記ミュージックコンテンツを記録するためのコンテンツ記録部をさらに備え、
前記コンテンツ記録部は、前記各ミュージックコンテンツの記録時に当該各ミュージックコンテンツを解析して前記属性情報を生成し、当該属性情報を前記各ミュージックコンテンツと関連付けて前記コンテンツ記憶部に記録することを特徴とする請求項１ないし４のいずれか１項に記載の歩数計。
【請求項６】
前記コンテンツ記憶部に、前記ミュージックコンテンツを記録するためのコンテンツ記録部をさらに備え、
前記コンテンツ記録部は、各ミュージックコンテンツの記録時に、表示または音声ガイダンスによって前記属性情報の入力を促すことを特徴とする請求項１ないし４のいずれか１項に記載の歩数計。
【請求項７】
年齢、性別、運動強度レベル、体調および／または持病に関する健康管理情報、のうち少なくとも１つを含む個人情報を入力するための個人情報入力部をさらに備え、
前記区間設定部は、前記個人情報入力部により入力された前記個人情報に基づいて、前記緩歩区間および前記速歩区間の、各割合または各時間を設定することを特徴とする請求項１ないし６のいずれか１項に記載の歩数計。
【請求項８】
前記歩数計測部による計測中の、心拍数または疲労度を測定する測定部をさらに備え、
前記再生順序決定部は、前記測定部の測定結果に応じて各ミュージックコンテンツの再生順序を変更し、
前記再生部は、前記再生順序決定部により再生順序が変更された場合、変更後の再生順序で前記ミュージックコンテンツを再生することを特徴とする請求項１ないし７のいずれか１項に記載の歩数計。
【請求項９】
前記再生部による、前記緩歩区間および前記速歩区間に対応する前記ミュージックコンテンツの再生切り替え時に、表示または音声ガイダンスによってその旨を報知する報知部をさらに備えていることを特徴とする請求項８に記載の歩数計。
【請求項１０】
前記報知部は、前記測定部の測定結果に基づいて、歩行アドバイスに関する報知を行うことを特徴とする請求項９に記載の歩数計。
【請求項１１】
請求項１ないし１０のいずれか１項に記載の歩数計における各部を備えていることを特徴とする携帯情報端末。
【請求項１２】
歩数を計測する歩数計測部と、
緩歩すべき緩歩区間、および速歩すべき速歩区間の、各割合または各時間を設定するための区間設定部と、
複数のミュージックコンテンツを記憶するコンテンツ記憶部と、を備えた歩数計の制御方法であって、
前記区間設定部の設定に基づいて、前記コンテンツ記憶部に記憶された複数のミュージックコンテンツの再生順序を決定するステップと、
前記歩数計測部による計測中に、決定した前記再生順序で、前記複数のミュージックコンテンツを再生するステップと、
を実行することを特徴とする歩数計の制御方法。
【請求項１３】
コンピュータに、請求項１２に記載の歩数計の制御方法における各ステップを実行させるためのプログラム。
【発明の詳細な説明】
【技術分野】
【０００１】
本発明は、健康促進を目的としたウォーキング時に歩数を測定する歩数計、携帯情報端末、歩数計の制御方法およびそのプログラムに関するものである。
【背景技術】
【０００２】
従来、ウォーキング時の歩数を測定する歩数計に、音楽再生機能を搭載し、音楽を聴きながらウォーキングを楽しむことができるように構成されたものが知られている（例えば、特許文献１）。
【特許文献１】特開２００２−０３４９３４号公報
【０００３】
一方、近年「インターバル速歩」と称される科学的根拠に基づいたウォーキング方法が注目されている。この「インターバル速歩」は、予め個人の体力を計測した後、目標となる運動強度レベルを個人毎に設定し、その強度を超えるような速歩と、ゆっくり歩く緩歩とを交互に繰り返すことにより、脚筋力および持久力を効果的に向上させ得る手法である。老若男女を問わず実行可能であると共に健康維持のための脚筋力増強に有効であることから、今後の高齢化社会に向けて、「インターバル速歩」の普及は必然である。
【発明の開示】
【発明が解決しようとする課題】
【０００４】
このような背景に基づき、音楽を聴きながら「インターバル速歩」を気軽に楽しみたいという要望がある。しかしながら、初心者にとって、速歩と緩歩とを区別して歩かなければならない「インターバル速歩」は、歩行速度を意識すること自体にストレスを感じてしまう。このため、音楽を聴きながらウォーキングを行っても、その両方を十分に楽しむことができないといった問題があった。
【０００５】
本発明は、上記の問題点に鑑み、科学的根拠に基づいた効果的なウォーキングと、音楽とを同時に楽しむことができる歩数計、携帯情報端末、歩数計の制御方法およびそのプログラムを提供することを目的とする。
【課題を解決するための手段】
【０００６】
本発明の歩数計は、歩数を計測する歩数計測部と、緩歩すべき緩歩区間、および速歩すべき速歩区間の、各割合または各時間を設定するための区間設定部と、複数のミュージックコンテンツを記憶するコンテンツ記憶部と、区間設定部の設定と、コンテンツ記憶部に記憶された各ミュージックコンテンツの属性情報と、に基づいて、当該各ミュージックコンテンツの再生順序を決定する再生順序決定部と、歩数計測部による計測中に、再生順序決定部により決定された再生順序でミュージックコンテンツを再生する再生部と、を備えていることを特徴とする。
【０００７】
また、本発明の歩数計の制御方法は、歩数を計測する歩数計測部と、緩歩すべき緩歩区間、および速歩すべき速歩区間の、各割合または各時間を設定するための区間設定部と、複数のミュージックコンテンツを記憶するコンテンツ記憶部と、を備えた歩数計の制御方法であって、区間設定部の設定に基づいて、コンテンツ記憶部に記憶された複数のミュージックコンテンツの再生順序を決定するステップと、歩数計測部による計測中に、決定した再生順序で、複数のミュージックコンテンツを再生するステップと、を実行することを特徴とする。
【０００８】
これらの構成によれば、緩歩区間および速歩区間の、各割合または各時間の設定に基づいて、ミュージックコンテンツの再生順序を決定し、歩数計測中に当該ミュージックコンテンツを再生するため、ユーザは、音楽に合わせて歩行を行うことで、気軽に「インターバル速歩（速歩と緩歩とを反復する歩行方法）」を行うことができる。すなわち、「インターバル速歩」に不可欠な歩行速度の切り替えを意識する必要がないため、ウォーキングと音楽とを無理なく同時に楽しむことができる。
【０００９】
なお、「ミュージックコンテンツの属性情報」とは、楽曲の曲調、ジャンル（クラシック、ポップス、演歌など）、テンポ（拍の長短）など、楽曲を分類する基準となる種々の情報を指すものであり、各ミュージックコンテンツとその属性情報とは、互いに関連付けられてコンテンツ記憶部に記憶される。
【００１０】
上記の歩数計において、属性情報は、各ミュージックコンテンツの拍の長短に関するテンポ情報であり、再生順序決定部は、テンポ情報に基づく拍の長さと、緩歩区間または速歩区間の歩調との近似性に基づいて、各ミュージックコンテンツの再生順序を決定することが好ましい。
【００１１】
この構成によれば、テンポ情報に基づく拍の長さと、緩歩区間または速歩区間の歩調との近似性に基づいて、各ミュージックコンテンツの再生順序を決定する、すなわち設定された緩歩区間および速歩区間のそれぞれの歩調に適したミュージックコンテンツを各区間で再生できるように決定するため、ユーザは拍に合わせてリズミカルに歩行を行うことができる。
【００１２】
上記の歩数計において、再生順序決定部は、区間設定部の設定と、各ミュージックコンテンツの属性情報と、に基づいて、コンテンツ記憶部の中から再生候補となる複数のミュージックコンテンツを抽出するコンテンツ抽出部を有し、コンテンツ抽出部により抽出した当該複数のミュージックコンテンツの再生順序を決定することが好ましい。
【００１３】
この構成によれば、区間設定部の設定と、各ミュージックコンテンツの属性情報とに基づいて、コンテンツ記憶部の中から再生候補となる複数のミュージックコンテンツを抽出するため、歩数計測中における緩歩区間または速歩区間に、それぞれ適したミュージックコンテンツを再生することができる。
【００１４】
上記の歩数計において、再生順序決定部は、コンテンツ抽出部により抽出された再生候補となる複数のミュージックコンテンツを表示するコンテンツ表示部と、コンテンツ表示部により表示された複数のミュージックコンテンツの中から、再生対象となるミュージックコンテンツを選択するためのコンテンツ選択部と、をさらに有し、コンテンツ選択部により選択されたミュージックコンテンツの再生順序を決定することが好ましい。
【００１５】
この構成によれば、緩歩区間または速歩区間にそれぞれ適するものとして抽出された複数のミュージックコンテンツ（再生候補となる複数のミュージックコンテンツ）の中から、ユーザが再生を所望するものだけを選択して再生させることができる。
【００１６】
なお、「再生候補となる複数のミュージックコンテンツ」は、全て同時に表示させてもよいし、コンテンツ選択部による選択操作に基づいて、サイクリックに１または複数個ずつ表示させてもよい。
【００１７】
上記の歩数計において、コンテンツ記憶部に、ミュージックコンテンツを記録するためのコンテンツ記録部をさらに備え、コンテンツ記録部は、各ミュージックコンテンツの記録時に当該各ミュージックコンテンツを解析して属性情報を生成し、当該属性情報を各ミュージックコンテンツと関連付けてコンテンツ記憶部に記録することが好ましい。
【００１８】
この構成によれば、各ミュージックコンテンツの記録時に当該各ミュージックコンテンツを解析して属性情報を生成し、当該属性情報を各ミュージックコンテンツと関連付けて記録するため、ユーザが、各ミュージックコンテンツに属性情報を付加する必要がない。言い換えれば、各ミュージックコンテンツの記録に伴って自動的に属性情報が付加されるため、ユーザによる属性情報入力の手間を省くことができる。
【００１９】
上記の歩数計において、コンテンツ記憶部に、ミュージックコンテンツを記録するためのコンテンツ記録部をさらに備え、コンテンツ記録部は、各ミュージックコンテンツの記録時に、表示または音声ガイダンスによって属性情報の入力を促すことが好ましい。
【００２０】
この構成によれば、各ミュージックコンテンツの記録時に、ユーザに対して属性情報の入力を促すため、当該ユーザによる入力情報を属性情報として用いることができる。すなわち、ミュージックコンテンツの解析処理および属性情報の生成処理を行う必要がないため、制御構成の簡素化、並びに装置の低廉化を図ることができる。
【００２１】
上記の歩数計において、年齢、性別、運動強度レベル、体調および／または持病に関する健康管理情報、のうち少なくとも１つを含む個人情報を入力するための個人情報入力部をさらに備え、区間設定部は、個人情報入力部により入力された個人情報に基づいて、緩歩区間および速歩区間の、各割合または各時間を設定することが好ましい。
【００２２】
この構成によれば、入力された個人情報に基づいて、緩歩区間および速歩区間の、各割合または各時間を設定するため、個人に適した設定を行うことができる。これにより、例えば、高齢者の場合や体調不良時は緩歩区間を長くする、運動強度レベルによって歩行時間（緩歩区間および速歩区間の時間合計＝トレーニング時間）を変化させるなどの対応が可能である。
【００２３】
上記の歩数計において、歩数計測部による計測中の、心拍数または疲労度を測定する測定部をさらに備え、再生順序決定部は、測定部の測定結果に応じて各ミュージックコンテンツの再生順序を変更し、再生部は、再生順序決定部により再生順序が変更された場合、変更後の再生順序でミュージックコンテンツを再生することが好ましい。
【００２４】
この構成によれば、歩数計測中における心拍数または疲労度の測定結果に応じて、各ミュージックコンテンツの再生順序を変更するため、過度の運動を防止することができる。これにより、例えば、測定結果から心拍数または疲労度が高いと判定した場合は、速歩区間であっても、緩歩区間用のミュージックコンテンツを優先的に再生するなどの対応が可能である。
【００２５】
なお、「疲労度」は、単位時間あたりの歩行数（歩行速度）や歩行姿勢、発汗量、エネルギー消費量等の測定に基づいて推定することが可能である。
【００２６】
上記の歩数計において、再生部による、緩歩区間および速歩区間に対応するミュージックコンテンツの再生切り替え時に、表示または音声ガイダンスによってその旨を報知する報知部をさらに備えていることが好ましい。
【００２７】
この構成によれば、緩歩区間と速歩区間との切り替えタイミングを、ユーザが把握することができる。
【００２８】
上記の歩数計において、報知部は、測定部の測定結果に基づいて、歩行アドバイスに関する報知を行うことが好ましい。
【００２９】
この構成によれば、ユーザは、歩数計測中における心拍数または疲労度の測定結果に応じて、歩行アドバイスを受けることができるため、適切な運動強度でウォーキングを行うことができる。
【００３０】
なお、「歩行アドバイス」としては、歩行速度、歩行姿勢、補助器具（ストック等）の使用、ウォーキング終了後のストレッチ等に関するアドバイスを行うことが好ましい。
【００３１】
本発明の携帯情報端末は、上記の歩数計における各部を備えていることを特徴とする。
【００３２】
この構成によれば、各種携帯情報端末により、科学的根拠に基づいた効果的なウォーキングと、音楽とを同時に楽しむことができる歩数計を実現することができる。なお、「携帯情報端末」とは、携行可能な小型情報端末（携帯電話、音楽プレーヤー、ＰＤＡ等）を指すものである。
【００３３】
本発明のプログラムは、コンピュータに、上記の歩数計の制御方法における各ステップを実行させるためのものであることを特徴とする。
【００３４】
このプログラムを実行することにより、科学的根拠に基づいた効果的なウォーキングと、音楽とを同時に楽しむことができる歩数計を実現することができる。
【発明を実施するための最良の形態】
【００３５】
以下、本発明の一実施形態に係る歩数計、携帯情報端末、歩数計の制御方法およびそのプログラムについて、添付図面を参照しながら詳細に説明する。本発明は、各個人の運動強度レベルを超えるような歩行を行う速歩と、ゆっくり歩く緩歩とを交互に繰り返してウォーキングを行う手法（以下、「インターバル速歩」と称する）に適した歩数計に関するものである。そこで、この種の歩数計を搭載した携帯情報端末として、ポータブルミュージックプレーヤーを用いた場合を例に挙げて説明する。
【００３６】
図１は、本実施形態に係るポータブルミュージックプレーヤー１０の制御ブロック図である。同図に示すように、ポータブルミュージックプレーヤー１０は、各種操作を行うための操作ボタン１１、歩数を計測する歩数カウンタ１２、心拍数を測定する心拍数計１３、各種情報を表示する液晶ディスプレイ１４、音楽および音声ガイダンスを出力するヘッドホン１５の他、ＣＰＵ１６、ＲＯＭ１７、ＲＡＭ１８およびフラッシュメモリ１９を備え、これら各構成要素は入出力回路２１によって接続されている。なお、ヘッドホン１５は、イヤホン、あるいはスピーカとすることも可能であり、そのような実施形態も含む。
【００３７】
ＣＰＵ１６は、上記の各構成要素を統括制御するものである。ＲＯＭ１７は、ＣＰＵ１６が各種制御を行うための制御プログラムおよび制御データを記憶している。ＲＡＭ１８は、ＣＰＵ１６が各種制御を行う際のワークエリアとして用いられ、各種フラグ等を記憶している。フラッシュメモリ１９は、複数のミュージックコンテンツ３０を記憶しており、ポータブルミュージックプレーヤー１０本体に着脱可能となっている。
【００３８】
操作ボタン１１は、ミュージックコンテンツ３０を記録（録音）するための記録ボタンの他、再生ボタン、早送りボタン、巻き戻しボタン、停止ボタン、一時停止ボタンなど、一般的なオーディオプレーヤーに搭載されている各種操作子を含む。また、操作ボタン１１は、緩歩または速歩を行う各区間の割合または時間を設定するための設定ボタンの他、歩数の計測を開始するための歩行開始ボタン、歩行一時停止ボタン、歩行終了ボタン、歩数カウンタ１２の計測値を確認するための歩数確認ボタン、心拍数計１３の測定値を確認するための心拍数確認ボタンなど、歩数計としての機能を実現するための操作子も含む。
【００３９】
心拍数計１３は、胸部、手首、耳たぶなどに取り付けられるセンサーであり、有線または無線によって、ポータブルミュージックプレーヤー１０本体と接続されている。
【００４０】
図２は、本実施形態に係るポータブルミュージックプレーヤー１０の機能ブロック図である。ポータブルミュージックプレーヤー１０は、その機能構成として、コンテンツ記録部１１０、コンテンツ記憶部１２０、個人情報入力部１３０、区間設定部１４０、歩数計測部１５０、測定部１６０、再生順序決定部１７０、報知部１８０および再生部１９０を備えている。
【００４１】
なお、コンテンツ記録部１１０は、図１の制御ブロック図における操作ボタン１１およびＣＰＵ１６を主要部として構成されている。また、コンテンツ記憶部１２０は、フラッシュメモリ１９を、個人情報入力部１３０は、操作ボタン１１を、区間設定部１４０は、操作ボタン１１およびＣＰＵ１６を、歩数計測部１５０は、歩数カウンタ１２を、それぞれ主要部として構成されている。さらに、測定部１６０は、心拍数計１３を、再生順序決定部１７０は、操作ボタン１１、液晶ディスプレイ１４およびＣＰＵ１６を、報知部１８０は、液晶ディスプレイ１４、ヘッドホン１５およびＣＰＵ１６を、再生部１９０は、ヘッドホン１５およびＣＰＵ１６を、それぞれ主要部として構成されている。
【００４２】
コンテンツ記録部１１０は、複数のミュージックコンテンツ３０を、コンテンツ記憶部１２０に記録するものであり、属性情報生成部１１１を有している。属性情報生成部１１１は、各ミュージックコンテンツ３０の記録時に当該各ミュージックコンテンツ３０を音声解析して属性情報（テンポ情報）を生成する。具体的には、属性情報として、各ミュージックコンテンツ３０の１分間あたりの拍数を示すＢＰＭ（Beat Per Minute）値、タイトルおよび再生時間を生成する。コンテンツ記録部１１０は、生成したＢＰＭ値、タイトルおよび再生時間を、各ミュージックコンテンツ３０のタイトルと関連付けて、コンテンツ記憶部１２０に記録する。
【００４３】
コンテンツ記憶部１２０は、コンテンツ記録部１１０によって記録された複数のミュージックコンテンツ３０を属性情報と関連付けて記憶するものである。図３に示すように、各ミュージックコンテンツ３０は、コンテンツデータに、タイトル、ＢＰＭ値および再生時間を関連付けて記憶している。
【００４４】
なお、本発明のポータブルミュージックプレーヤー１０を直接インターネットに接続可能に構成してダウンロードサイトからダウンロードしたり、ミュージックコンテンツ３０をＣＤからコピーしたりする場合、各種属性情報は、ミュージックコンテンツ３０のデータベースから入手できる。例えば、それらには、タイトル、曲の長さ（再生時間）、アーティスト、作曲者、ジャンルがあり、これらの情報は、ユーザがわざわざ入力キーで入力しなくても、インターネットを介して取り込むことができる。また、このような属性情報をコンテンツ記憶部１２０に記憶させておき、曲目の選択に利用することも可能である。
【００４５】
個人情報入力部１３０は、年齢、性別、運動強度レベル、体調および／または持病に関する健康管理情報などの個人情報を、操作ボタン１１を用いて入力するものである。この個人情報入力部１３０による入力は、後述する区間設定部１４０における緩歩区間および速歩区間の区間設定や、各区間の歩行速度の設定に用いられる。なお、個人情報入力部１３０の入力は任意であり、入力されない場合は、デフォルト設定に基づいて、区間設定および歩行速度設定を行う。
【００４６】
個人情報の一つである運動強度レベルは、例えばレベル１〜５までの５段階で設定可能であり、自己判断または過去の運動能力テストの結果に基づいて設定する。また、健康管理情報としては、その日の体調を良好、普通、不調の３段階で設定したり、液晶ディスプレイ１４に表示された持病リストの中から、自分の持病に該当するものを指定したりすることによって、入力可能である。
【００４７】
区間設定部１４０は、緩歩区間および速歩区間の、各割合または各時間を設定するものである。各種設定パターンについては、後述する（図４参照）。なお、区間設定部１４０の設定（入力）は任意であり、入力されない場合は、上記の個人情報入力部１３０により入力された個人情報に基づいて自動設定する。
【００４８】
歩数計測部１５０は、歩数カウンタ１２を用いて歩数を計測するものであり、操作ボタン１１に含まれる歩行開始ボタンおよび歩行終了ボタンの押下に基づいて、計測を開始／終了する。なお、操作ボタン１１の一つである歩行一時停止ボタンが押下された場合は、歩数カウンタ１２のカウンタ値をＲＡＭ１８内に一旦格納しておき、歩行開始ボタンが押下されると、格納しておいたカウンタ値に続けて歩数をカウントする。
【００４９】
測定部１６０は、歩数計測部１５０による計測中の、心拍数または疲労度を測定するものである。心拍数の測定は、心拍数計１３によって行う。また、「疲労度の測定」とは、単位時間あたりの歩行数（歩行速度）や歩行姿勢、発汗量、エネルギー消費量等の測定を指す。なお、測定部１６０の測定結果は、後述する再生順序決定部１７０による再生順序の決定や、報知部１８０による各種報知（歩行アドバイス）に用いられる。
【００５０】
再生順序決定部１７０は、区間設定部１４０の設定と、コンテンツ記憶部１２０に記憶された各ミュージックコンテンツ３０の属性情報（ＢＰＭ値）と、に基づいて、当該各ミュージックコンテンツ３０の再生順序を決定するものである。
【００５１】
同図に示すように、再生順序決定部１７０は、コンテンツ抽出部１７１、コンテンツ表示部１７２およびコンテンツ選択部１７３を有している。コンテンツ抽出部１７１は、区間設定部１４０の設定と、各ミュージックコンテンツ３０のＢＰＭ値と、に基づいて、コンテンツ記憶部１２０の中から再生候補となる複数のミュージックコンテンツ３０を抽出するものである。具体的には、ＢＰＭ値に基づく拍の長さと、設定された緩歩または速歩の歩調（歩行速度）との近似性に基づいて、再生候補となるミュージックコンテンツ３０を抽出する。
【００５２】
また、コンテンツ表示部１７２は、コンテンツ抽出部１７１により抽出された再生候補となる複数のミュージックコンテンツを液晶ディスプレイ１４上に表示するものである。コンテンツ選択部１７３は、コンテンツ表示部１７２により表示された複数のミュージックコンテンツの中から、再生対象となるミュージックコンテンツをユーザが選択するためのものであり、具体的には操作ボタン１１および液晶ディスプレイ１４により構成される。
【００５３】
再生順序決定部１７０は、以上の工程を経て、最終的にコンテンツ選択部１７３により選択された複数のミュージックコンテンツ３０を再生対象と、これらの再生順序を決定する。
【００５４】
なお、再生順序決定部１７０は、上記の測定部１６０の測定結果に応じて各ミュージックコンテンツ３０の再生順序を変更する。具体的には、測定結果から心拍数または疲労度が高いと判定した場合は、速歩区間であっても、緩歩区間用のミュージックコンテンツ３０（ＢＰＭ値が小さいミュージックコンテンツ３０）を優先的に再生するなどの制御を行う。また、緩歩区間に心拍数または疲労度が高いと判定した場合は、緩歩区間用のミュージックコンテンツ３０を複数回繰り返すなどの制御を行う。
【００５５】
報知部１８０は、液晶ディスプレイ１４による表示またはヘッドホン１５による音声ガイダンスによって、各種情報をユーザに報知するものである。例えば、報知部１８０は、測定部１６０の測定結果に基づいて、歩行アドバイスに関する報知を行う。具体的には、歩行速度、歩行姿勢、補助器具（ストック等）の使用、ウォーキング終了後のストレッチ等に関するアドバイスを行う。
【００５６】
また、報知部１８０は、後述する再生部１９０による、緩歩区間および速歩区間に対応するミュージックコンテンツ３０の再生切り替え時に、その旨（『緩歩区間／速歩区間に切り替わります』など）を報知する。
【００５７】
再生部１９０は、歩数計測部１５０による計測中に、再生順序決定部１７０により決定された再生順序でミュージックコンテンツ３０を再生する（ヘッドホン１５に出力させる）ものである。なお、上記のとおり、再生順序決定部１７０は、測定部１６０の測定結果に応じて再生順序を随時変更するが、変更された場合は、変更時点において再生しているミュージックコンテンツ３０が終了した後、変更後の再生順序に基づいてミュージックコンテンツ３０を再生する。すなわち、再生順序が変更された場合であっても、楽曲の途中で再生を中止し別の楽曲に切り替えることはない。
【００５８】
次に、図４を参照し、上記の区間設定部１４０により設定される各種区間設定パターンについて説明する。同図（ａ）に示す区間設定パターンは、緩歩区間および速歩区間の割合を設定するものである。例えば、緩歩区間と速歩区間との割合を１：１に設定するなど、数値入力によって各区間の割合を設定可能である。なお、この場合、緩歩区間または速歩区間の単位時間が予め設定されていることが前提である。例えば、緩歩区間の単位時間が予め３分に設定されており、緩歩区間と速歩区間との割合が１：１に設定された場合、緩歩区間（３分）、速歩区間（３分）を繰り返すこととなる。
【００５９】
同図（ｂ）に示す区間設定パターンは、緩歩区間および速歩区間の時間を設定するものである。例えば、緩歩区間と速歩区間をそれぞれ３分ずつに設定するなど、各区間の時間長さを設定可能である。
【００６０】
同図（ｃ）に示す区間設定パターンは、歩行時間（トレーニング時間）を設定するものである。例えば、歩行時間を３０分に設定した場合であって、上記（ｂ）のように両区間が３分ずつに設定されている場合、緩歩区間と速歩区間の合計６分を、５回繰り返すこととなる。
【００６１】
同図（ｄ）に示す区間設定パターンは、緩歩区間および速歩区間の繰り返し数を設定するものである。例えば、繰り返し数を５回に設定した場合であって、上記（ｂ）のように両区間が３分ずつに設定されている場合、緩歩区間と速歩区間の合計６分を５回繰り返すため、合計３０分のウォーキングを行うこととなる。
【００６２】
同図（ｅ）に示す区間設定パターンは、緩歩区間および速歩区間の時間および繰り返し数を自動設定するものである。すなわち、区間設定が行われない場合、デフォルト設定（例えば、緩歩区間（３分）→速歩区間（３分）を、５回繰り返すなど）に基づいて、区間設定を行う。
【００６３】
同図（ｆ）に示す区間設定パターンは、個人情報入力部１３０により入力された個人情報に基づいて設定するものである。例えば、年齢６０歳、男性、運動強度レベル３（１〜５）の場合、「緩歩区間（３分）→速歩区間（３分）を、３回繰り返す」といった設定が可能である。この場合、年齢毎、性別毎、運動強度レベル毎に設定されている係数テーブルを参照して、所定の計算式により、緩歩区間および速歩区間の時間長さや、繰り返し数を決定する。
【００６４】
なお、上記に示した各区間設定パターンは、制御プログラムおよび制御データとして、ＲＯＭ１７（図１参照）内に記憶されているものである。また、上記に示した各パターンのうち、いずれか１つを記憶させてもよいし、複数を組み合わせたパターンを記憶させてもよい。また、全てのパターンを記憶させ、ユーザが好みの区間設定パターンを指定してもよい。
【００６５】
次に、図５および図６を参照し、上記の再生順序決定部１７０（図２参照）による再生順序の決定処理について説明する。上記の通り、歩数計測時に再生するミュージックコンテンツ３０の再生順序は、コンテンツ抽出→コンテンツ表示→コンテンツ選択といった処理を経て決定する。ここでは、区間設定部１４０により、「緩歩区間（３分，８０歩／分）→速歩区間（３分，１６０歩／分）を、３回繰り返す」と設定されている場合を例示する。また、コンテンツ記憶部１２０には、図３に示したとおり、コンテンツＡ〜コンテンツＦの６つのミュージックコンテンツ３０が記憶されているものとする。
【００６６】
まず、図５（ａ）を参照し、コンテンツ抽出部１７１による抽出処理について説明する。同図に示すように、本実施形態では、ＢＰＭ値が６０≦ＢＰＭ値≦１００のミュージックコンテンツ３０を、緩歩区間の再生候補として抽出すると共に、ＢＰＭ値が１４０≦ＢＰＭ値≦１８０のミュージックコンテンツ３０を、速歩区間の再生候補として抽出する。したがって、コンテンツ記憶部１２０に、図３に示すミュージックコンテンツ３０が記憶されている場合、緩歩区間の再生候補としては、ＢＰＭ値が１００のコンテンツＢと、ＢＰＭ値が６０のコンテンツＦを抽出する。また、速歩区間の再生候補としては、ＢＰＭ値が１６０のコンテンツＡと、ＢＰＭ値が１４０のコンテンツＤを抽出する。
【００６７】
なお、各区間の再生候補を抽出するための基準となるＢＰＭ値の範囲は、操作ボタン１１を用いてユーザが変更可能に構成してもよい。また、両区間の再生候補とならない、例えばＢＰＭ値１２０のコンテンツＣは、その旨を液晶ディスプレイ１４上に表示し、いずれかの区間の再生候補に加えるか否かの判断をユーザに委ねても良い。また、ＢＰＭ値が小さすぎることで両区間の再生候補とならない、ＢＰＭ値４０のコンテンツＥについては、その旨を液晶ディスプレイ１４上に表示し、緩歩区間の再生候補に加えるか否かの判断をユーザに委ねても良い。また、このように両区間の再生候補とならないミュージックコンテンツ３０については、各区間にふさわしいＢＰＭ値となるように、曲速度（再生速度）を変更するか否かの判断をユーザに委ねても良い。
【００６８】
なお、本コンテンツ抽出処理においては、各ミュージックコンテンツ３０の再生時間を考慮していないが、設定された各区間の時間長さ（３分）を超えるミュージックコンテンツ３０（例えば、コンテンツＣ）は、そのＢＰＭ値に関わらず抽出対象外としても良い。また、設定された各区間の時間長さ（３分）＋所定時間を超えるミュージックコンテンツ３０を、抽出対象外としても良い。
【００６９】
次に、図５（ｂ）を参照し、コンテンツ表示部１７２による表示処理、およびコンテンツ選択部１７３による選択処理について説明する。同図に示すように、コンテンツ表示部１７２は、コンテンツ抽出部１７１により抽出した各区間の再生候補となるミュージックコンテンツ３０を、液晶ディスプレイ１４上に表示する。
【００７０】
また、同画面は、ユーザに対して、再生対象となるミュージックコンテンツ３０の選択を促すものであり、ユーザは画面左部のチェックボックスＢをＯＮ／ＯＦＦで切り替えることによって、所望のミュージックコンテンツ３０を選択することができる。同図は、緩歩区間の再生対象としてコンテンツＦが、速歩区間の再生対象としてコンテンツＡおよびコンテンツＤが、それぞれ選択された場合を示している。
【００７１】
なお、液晶ディスプレイ１４上に表示する「再生候補となる複数のミュージックコンテンツ」は、同図に示すように、全てを同一画面上に表示するのではなく、コンテンツ選択部１７３による選択操作に基づいて、サイクリックに１または複数個ずつ表示させてもよい。
【００７２】
次に、図６を参照し、上記の各処理を経て、再生順序決定部１７０が決定した再生順序について説明する。ここでは、区間設定部１４０により設定された各区間の時間長さと、選択されたミュージックコンテンツ３０の再生時間と、に基づいて、再生順序を決定する。上記のとおり本例では、「緩歩区間（３分，８０歩／分）→速歩区間（３分，１６０歩／分）を、３回繰り返す」と設定されているため、緩歩区間では、コンテンツＦ（再生時間：１分３０秒）を２回繰り返す。すなわち、選択されたミュージックコンテンツ３０の再生時間の合計が、設定された時間長さと近似するように、選択されたミュージックコンテンツ３０を割り当てる。
【００７３】
また、速歩区間については、コンテンツＡ（再生時間：１分２０秒）およびコンテンツＤ（再生時間：１分３０秒）が選択されているため、この２つを１回ずつ順に再生させる。これは、コンテンツＡとコンテンツＤの１回ずつの組み合わせ（合計再生時間）が、設定された速歩区間の時間長さ（３分）と最も近似するためである。
【００７４】
したがって、同図に示すように、本例では、コンテンツＦ→コンテンツＦ→コンテンツＡ→コンテンツＤを、３回繰り返すこととなる。また、「コンテンツＦ→コンテンツＦ」の緩歩区間と、「コンテンツＡ→コンテンツＤ」の速歩区間との切り替え時には、報知部１８０（図２参照）により、音声ガイダンス『速歩区間に切り替わります』や『緩歩区間に切り替わります』を行う。なお、このとき報知部１８０は、液晶ディスプレイ１４上にも、同様のメッセージを表示しても良い。また、携帯電話のマナーモードと同じように、モード設定時は、メッセージ表示のみ、モード未設定時はメッセージ表示および音声ガイダンスといったように区別しても良い。
【００７５】
このように、ユーザの好みに応じて選択されたミュージックコンテンツ３０に基づいて、再生順序を決定し、その再生順序で、歩数測定時に再生を行うことで、ユーザは音楽を楽しみながら気軽にウォーキングを行うことができる。また、再生されるミュージックコンテンツ３０のテンポに合わせてウォーキングすればよいため、「インターバル速歩」では不可欠な歩行速度の違いを意識する必要がなく、そのためのストレスを軽減できる。また、ミュージックコンテンツ３０の全再生時間と、トレーニング時間とがほぼ等しくなるため、再生終了をもってトレーニング終了を認識することができる。
【００７６】
さらに、各ミュージックコンテンツ３０は、途中で音楽が中断するといったことがない（設定された各区間の時間長さにぴったり整合するようにミュージックコンテンツ３０を一部だけ用いるということがない）ため、音楽再生機能を損ねることがなく、ユーザに不快な思いをさせることがない。そもそも、設定された各区間の時間長さは、あくまでも目安であり、設定時間との多少のずれは、さほど運動効果に影響しないことが立証されている。したがって、本実施形態によれば、音楽再生機能を損ねることなく、効果的なウォーキング・トレーニングを行うことができる。
【００７７】
ここで、図７および図８を参照し、さらに効果的なウォーキング・トレーニングを行うための歩行アドバイス機能について説明する。当該歩行アドバイス機能は、報知部１８０（図２参照）によって実現されるものである。図７（ａ）に示すように、報知部１８０は、歩行速度が、各区間の設定歩行速度から大幅にずれたときに歩行アドバイスを行う。例えば、緩歩区間（８０歩／分）、速歩区間（１６０歩／分）と設定されている場合、緩歩区間で６０歩／分以下となったとき、および速歩区間で１４０歩／分以下となったとき、すなわち、２０歩／分以上歩行ペースが落ちたときに、『もう少しペースを上げましょう』といった音声ガイダンスを行う。
【００７８】
また、緩歩区間で１００歩／分以上となったとき、および速歩区間で１８０歩／分以上となったとき、すなわち、２０歩／分以上歩行ペースが上がったときに、『もう少しペースを落としましょう』といった音声ガイダンスを行う。
【００７９】
なお、音声ガイダンスを行う基準となる歩行ペースのずれ（ここでは、２０歩／分）については、ユーザが操作ボタン１１を用いて設定できるように構成しても良い。また、音声ガイダンスを行うか否かについて、また音声ガイダンスと共に液晶ディスプレイ１４上にメッセージ表示を行うか否かについても、ユーザが選択できるようにしても良い。
【００８０】
続いて、図７（ｂ）に示すように、報知部１８０は、心拍数計１３によって測定した心拍数が、目標値からずれたときにも歩行アドバイスを行う。例えば、心拍数の目標値が、１１４≦目標値≦１７１と設定されている場合（目標値は、個人情報に基づいて決定されるものであり、詳細については後述する）、緩歩区間で心拍数１１４以下となったときに、『もう少しペースを上げましょう』といった音声ガイダンスを行う。
【００８１】
また、速歩区間で心拍数１７１以上となったときには、『もう少しペースを落としましょう』といった音声ガイダンスを行う。すなわち、緩歩区間では、心拍数が目標値の最小値以下とならないかをチェックし、速歩区間では、心拍数が目標値の最大値以上とならないかをチェックして、適切な音声ガイダンスを行う。なお、いずれの区間においても、心拍数が目標値の範囲内にあるか否かをチェックして、音声ガイダンスを行うようにしても良い。また、本例においても、音声ガイダンスと共に液晶ディスプレイ１４上にメッセージ表示を行うようにしても良い。
【００８２】
続いて、図８を参照し、心拍数の目標値算出について説明する。上記のとおり、心拍数の目標値は、個人情報入力部１３０（図２参照）により入力された個人情報の一つである年齢に基づいて決定される。同図に示すように、例えば年齢３０歳の場合、定数２２０から年齢（３０）を差し引いた値（１９０）を最大心拍数Ｋとし、最大心拍数Ｋに定数０．６を乗じた値「１１４」を、目標心拍数の最小値として決定する。また、最大心拍数Ｋに定数０．９を乗じた値「１７１」を、目標心拍数の最大値として決定する。
【００８３】
なお、上記の計算式は、制御プログラムの一つとしてＲＯＭ１７（図１参照）内に記憶されているものである。また、心拍数の目標値算出には、年齢だけでなく、性別など他の個人情報もパラメータに含めた計算式を用いるようにしても良い。
【００８４】
また、心拍数の目標値は、ウォーキングの熟練度、その日の体調を示す体調指数、医師からの推奨値等に基づいて、適宜変更可能に構成されることが好ましい。
【００８５】
以上説明したとおり、本実施形態によれば、緩歩区間および速歩区間の、各割合または各時間の設定に基づいて、ミュージックコンテンツ３０の再生順序を決定し、歩数計測中に当該ミュージックコンテンツ３０を再生するため、ユーザは、音楽に合わせて歩行を行うことで、気軽に「インターバル速歩」を行うことができる。すなわち、「インターバル速歩」に不可欠な歩行速度の切り替えを意識する必要がないため、ウォーキングと音楽とを無理なく同時に楽しむことができる。
【００８６】
また、再生候補となるミュージックコンテンツ３０の抽出は、テンポ情報（ＢＰＭ値）に基づく拍の長さと、緩歩または速歩の歩調との近似性に基づいて、各ミュージックコンテンツの再生順序を決定するため、緩歩区間および速歩区間のそれぞれの歩調に適したミュージックコンテンツを各区間で再生することができる。
【００８７】
また、コンテンツ記録部１１０は、各ミュージックコンテンツ３０の記録時に当該各ミュージックコンテンツ３０を音声解析してＢＰＭ値を生成し、当該ＢＰＭ値を各ミュージックコンテンツ３０と関連付けて記録するため、ユーザが、各ミュージックコンテンツ３０に属性情報（例えば、緩歩区間用とするか速歩区間用とするかを区別するための情報）を付加する必要がない。言い換えれば、各ミュージックコンテンツ３０の記録に伴って自動的に属性情報が付加されるため、ユーザによる属性情報入力の手間を省くことができる。
【００８８】
また、区間設定部１４０は、入力された個人情報に基づいて、緩歩区間および速歩区間の、各割合または各時間を設定するため、個人に適した設定を行うことができる。すなわち、高齢者の場合や体調不良時は緩歩区間を長くする、運動強度レベルによって歩行時間（トレーニング時間）を変化させるといった設定を行うことができる。
【００８９】
また、再生順序決定部１７０は、歩数計測中における心拍数または疲労度の測定結果に応じて、各ミュージックコンテンツ３０の再生順序を変更するため、過度の運動を防止することができる。
【００９０】
また、報知部１８０は、緩歩区間および速歩区間に対応するミュージックコンテンツ３０の再生切り替え時に、表示または音声ガイダンスによってその旨を報知するため、緩歩区間と速歩区間との切り替えタイミングを、ユーザが把握することができる。また、報知部１８０は、歩数計測中における心拍数等の測定結果に応じて、歩行アドバイスを行うため、ユーザは、適切な運動強度でウォーキングを行うことができる。
【００９１】
なお、上記の実施形態では、ミュージックコンテンツ３０に関連付けて記憶する「属性情報（テンポ情報）」として、ＢＰＭ値を例示したが、当該ＢＰＭ値以外にも楽曲のテンポ（曲速度）を表す値を用いても良い。また、テンポ情報以外にも、属性情報として、楽曲の曲調、ジャンル（クラシック、ポップス、演歌など）など、楽曲を分類する基準となる種々の情報をミュージックコンテンツ３０に関連付けて記憶しても良い。例えば、楽曲のジャンルを属性情報として用いる場合、一般的にアップテンポなポップスは速歩区間用に、スローテンポな演歌は緩歩区間用とするなど、予め各区間に対応するジャンルを設定しておくことが好ましい。また、ジャンルなどの情報も、予めミュージックコンテンツ３０（録音データ）に付加されているメタデータ等を利用し、ミュージックコンテンツ３０の記録時にこれらを自動取得して、コンテンツ記憶部１２０に記憶するようにしても良い。
【００９２】
また、属性情報を自動的に生成して付加したり、予めミュージックコンテンツ３０に付加されているデータを自動取得したりするのではなく、ミュージックコンテンツ３０の記録時に、表示または音声ガイダンスによって、ユーザに対し属性情報の入力を促すようにしても良い。この構成によれば、ミュージックコンテンツの解析処理３０等を行う必要がないため、制御構成の簡素化、並びに装置の低廉化を図ることができる。
【００９３】
また、上記の実施形態では、「歩行アドバイス」として、歩行速度のアドバイスを行うものとしたが、その他にも、歩行姿勢、補助器具（ストック等）の使用、ウォーキング終了後のストレッチ等に関するアドバイスを行うようにしても良い。また、当該歩行アドバイスは、音声ガイダンスおよび／またはメッセージ表示により行い、歩数計測開始から終了までのアドバイスを音声データおよび／またはテキストデータとしてＲＡＭ１８内またはフラッシュメモリ１９内に記録しておき、後で読み出せるように構成しても良い。この構成によれば、ウォーキング終了後に、歩行アドバイスを見直すことができる。
【００９４】
また、上記の実施形態では、コンテンツ選択部１７３により選択されたミュージックコンテンツ３０を対象として再生順序を決定するものとしたが、ユーザに対して選択を促さず、コンテンツ抽出部１７１により抽出した再生候補となるミュージックコンテンツ３０を対象として再生順序を決定するようにしても良い。
【００９５】
さらに、コンテンツ記憶部１２０に記憶されている全ミュージックコンテンツ３０を対象として再生順序を決定するようにしても良い。但し、この場合は、楽曲のテンポが、各区間の歩調（歩行速度）と合わない場合が生じるため、合わないミュージックコンテンツ３０については曲速度を適宜変更する（倍速再生、スロー再生など）ことが好ましい。
【００９６】
また、上記の例に示した、ポータブルミュージックプレーヤー１０の各構成要素（各機能）をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００９７】
また、上記の実施形態によらず、ポータブルミュージックプレーヤー１０の装置構成や処理工程など、本発明を逸脱しない範囲で適宜変更が可能である。また、上記の実施形態に示した歩数計としての機能を、ポータブルミュージックプレーヤー１０以外の携帯情報端末（携帯電話、音楽プレーヤー、ＰＤＡ等）に搭載することも可能である。
【図面の簡単な説明】
【００９８】
【図１】本発明の一実施形態に係るポータブルミュージックプレーヤーの制御ブロック図である。
【図２】ポータブルミュージックプレーヤーの機能ブロック図である。
【図３】コンテンツ記憶部を説明するための図である。
【図４】区間設定パターンを説明するための図である。
【図５】再生順序の決定処理を説明するための図である。
【図６】図５に続く、再生順序の決定処理を説明するための図である。
【図７】歩行アドバイス機能を説明するための図である。
【図８】心拍数の目標値を算出するための計算式を示す図である。
【符号の説明】
【００９９】
１０：ポータブルミュージックプレーヤー，１１：操作ボタン，１２：歩数カウンタ，１３：心拍数計，１４：液晶ディスプレイ，１５：ヘッドホン，１６：ＣＰＵ，１７：ＲＯＭ，１８：ＲＡＭ，１９：フラッシュメモリ，３０：ミュージックコンテンツ，１１０：コンテンツ記録部，１２０：コンテンツ記憶部，１３０：個人情報入力部，１４０：区間設定部，１５０：歩数計測部，１６０：測定部，１７０：再生順序決定部，１８０：報知部，１９０：再生部
【図１】
2007328568.tif 000003
【図２】
2007328568.tif 000004
【図３】
2007328568.tif 000005
【図４】
2007328568.tif 000006
【図５】
2007328568.tif 000007
【図６】
2007328568.tif 000008
【図７】
2007328568.tif 000009
【図８】
2007328568.tif 000010